(57)【要約】【課題】  アラーム時刻がわかりやすく、設定も容易なアラーム装置を提供する。【解決手段】  分針軸１１と時針軸１２とを同軸状に設ける。分針軸１１と時針軸１２との間にギヤ機構２０を設ける。分針軸１１に操作つまみ１６を設ける。時針軸１２をギヤ２５、２６を通じてロータリーエンコーダ３１の入力軸に結合する。時針軸１２をギヤ２５、２７を通じてロータリーエンコーダ３２の入力軸に結合する。ロータリーエンコーダ３１、３２の示す時刻と、時計回路３６の計時する現在時刻とを比較する比較回路３３２を設ける。時計回路３６の計時する現在時刻が、ロータリーエンコーダ３１、３２の示す時刻になったとき、比較回路３３２の比較出力により、アラーム処理あるいはタイマ処理を行う。【選択図】  図１
2006084245.tif 000002
【特許請求の範囲】
【請求項１】
所定の時刻のデータと、時計回路の計時する現在時刻のデータとを比較して上記所定の時刻になったとき、アラーム処理あるいはタイマ処理を行うように、上記所定の時刻を設定するための設定装置において、
文字盤と、
分針軸と、
この分針軸と同軸状に設けられた時針軸と、
上記分針軸に設けられた分針と、
上記時針軸に設けられた時針と、
上記分針軸と上記時針軸との間に設けられたギヤ機構と、
上記分針軸を回転させるための操作つまみと、
上記時針軸に設けられたギヤと、
第１および第２のロータリーエンコーダと、
上記第１のロータリーエンコーダの入力軸に設けられて上記ギヤと噛合する第１のギヤと、
上記第２のロータリーエンコーダの入力軸に設けられて上記ギヤと噛合する第２のギヤと
を有し、
上記第１および第２のロータリーエンコーダの出力から上記所定のデータを得る
ようにした時刻設定装置。
【請求項２】
請求項１に記載の時刻設定装置において、
上記ギヤ機構は、上記分針軸の回転数を１／12にして上記時針軸に伝達するものとされ、
上記ギヤと上記第１のギヤとの歯数の比＝３：１
上記ギヤと上記第２のギヤとの歯数の比＝４：１
とされ、
上記第１のロータリーエンコーダのポジション数＝24ポジション
上記第２のロータリーエンコーダのポジション数＝18ポジション
とされている時刻設定装置。
【請求項３】
文字盤と、
分針軸と、
この分針軸と同軸状に設けられた時針軸と、
上記分針軸に設けられた分針と、
上記時針軸に設けられた時針と、
上記分針軸と上記時針軸との間に設けられたギヤ機構と、
上記分針軸を回転させるための操作つまみと、
上記時針軸に設けられたギヤと、
第１および第２のロータリーエンコーダと、
上記第１のロータリーエンコーダの入力軸に設けられて上記ギヤと噛合する第１のギヤと、
上記第２のロータリーエンコーダの入力軸に設けられて上記ギヤと噛合する第２のギヤと、
現在時刻を計時する時計回路と
上記第１および第２のロータリーエンコーダの出力と、上記時計回路の計時する現在時刻のデータとを比較する比較回路と
を有し、
上記時計回路の計時する現在時刻が、上記第１および第２のロータリーエンコーダの出力の示す時刻になったとき、上記比較回路の比較出力により、アラーム処理あるいはタイマ処理を行う
ようにしたアラーム装置。
【請求項４】
請求項３に記載のアラーム装置において、
午前・午後の設定スイッチを有し、
上記ギヤ機構は、上記分針軸の回転数を１／12にして上記時針軸に伝達するものとされ、
上記ギヤと上記第１のギヤとの歯数の比＝３：１
上記ギヤと上記第２のギヤとの歯数の比＝４：１
とされ、
上記第１のロータリーエンコーダのポジション数＝24ポジション
上記第２のロータリーエンコーダのポジション数＝18ポジション
とされ、
上記時計回路の計時する現在時刻が、上記第１および第２のロータリーエンコーダの出力および上記設定スイッチの示す時刻になったとき、上記比較回路の比較出力により、アラーム処理あるいはタイマ処理を行う
ようにしたアラーム装置。
【発明の詳細な説明】
【技術分野】
【０００１】
この発明は、アラーム装置およびその時刻設定装置に関する。
【背景技術】
【０００２】
ＶＴＲ（Video Tape Recorder）には、一般にタイマ機能が用意され、あらかじめ設定された時刻になると、録画を開始するようにされている。また、ラジオ受信機としてアラーム機能を有し、あらかじめ設定された時刻になると、アラーム音（目覚まし音）を鳴らしたり、ラジオ受信機の電源をオンにしたりするものがある。
【０００３】
そして、このタイマ時刻やアラーム時刻を設定する方法あるいは手段として、例えば以下のようなものが知られている。
【０００４】
(1) 表示部はデジタル表示とされ、通常は、現在時刻がデジタル表示されている。しかし、モードスイッチをタイマ時刻モードに切り換えると、設定されているタイマ時刻がデジタル表示される。そして、このとき、時刻キーを操作すると、そのタイマ時刻を変更することができ、目的とするタイマ時刻に設定することができる。
【０００５】
(2) 図６に示すように、ラジオ受信機の前面パネルに、デジタル表示部１と、「時」の設定つまみ２Ｈおよび「分」の設定つまみ２Ｍとが設けられる。そして、デジタル表示部１には、現在時刻がデジタル表示される。また、設定つまみ２Ｈ、２Ｍをまわすと、アラーム時刻の設定が行われる。
【０００６】
(3) 図７に示すように、「時」および「分」を示す数字が同心円状に記された文字板３の前面に、２枚の透明な円盤が配置され、その一方の円盤にタイマ時刻の「時」を指定するための記号４Ｈが記され、他方の円盤にタイマ時刻の「分」を指定するための記号４Ｍが記される。そして、「分」記号４Ｈの記された透明円盤をまわして、記号４Ｈ、４Ｍを設定したいタイマ時刻の数字に合わせると、タイマ時刻の設定が行われる。
【０００７】
なお、先行技術文献として例えば以下のものがある。
【特許文献１】実開昭５６−１３５１８９号公報
【発明の開示】
【発明が解決しようとする課題】
【０００８】
ところが、上記の(1)の場合には、タイマ時刻を確認するためには、いちいちモードスイッチを操作する必要があり、手間がかかる。その点、(2)および(3)の場合（図６および図７の場合）には、タイマ時刻を知るために特別の操作を必要としない。しかし、どちらもタイマ時刻の表示部が一般のアナログ時計の形態をしていないので、視認性が悪く、直感的にタイマ時刻を把握しずらい。
【０００９】
また、(2)の場合には、大きなスペースも必要とする。さらに、(3)の場合には、タイマ時刻を10分単位で設定できるようにすると、「時」記号４Ｈの記された透明円盤が、12時間に72ポジション（＝12時間／10分）の回転位置を取ることになるので、その回転位置を読み取るために、72ポジションのロータリーエンコーダが必要になる。しかし、汎用品には、72ポジションのロータリーエンコーダはないので、特別に製造することになり、高価になってしまう。
【００１０】
この発明は、以上のような問題点を解決しようとするものである。
【課題を解決するための手段】
【００１１】
この発明においては、
所定の時刻のデータと、時計回路の計時する現在時刻のデータとを比較して上記所定の時刻になったとき、アラーム処理あるいはタイマ処理を行うように、上記所定の時刻を設定するための設定装置において、
文字盤と、
分針軸と、
この分針軸と同軸状に設けられた時針軸と、
上記分針軸に設けられた分針と、
上記時針軸に設けられた時針と、
上記分針軸と上記時針軸との間に設けられたギヤ機構と、
上記分針軸を回転させるための操作つまみと、
上記時針軸に設けられたギヤと、
第１および第２のロータリーエンコーダと、
上記第１のロータリーエンコーダの入力軸に設けられて上記ギヤと噛合する第１のギヤと、
上記第２のロータリーエンコーダの入力軸に設けられて上記ギヤと噛合する第２のギヤと
を有し、
上記第１および第２のロータリーエンコーダの出力から上記所定のデータを得る
ようにした時刻設定装置
とするものである。
【発明の効果】
【００１２】
この発明によれば、アラーム時刻の設定は、操作つまみをまわして時針および分針を目的とする時刻に合わせればよく、その操作は簡単である。また、このアラーム時刻の設定時、時針および分針は、一般のアナログ時計の時針および分針と同じ関係で同じように動くので、アラーム時刻の設定がわかりやすい。
【００１３】
さらに、設定されたアラーム時刻は、時針および分針の位置から読み取ることができるとともに、このとき、時針および分針の示すアラーム時刻は、一般のアナログ時計が示す現在時刻と同様の形態となるので、アラーム時刻がわかりやすく、一目で知ることができる。
【００１４】
また、アラーム時刻を設定したり、表示したりするために、大きなスペースを必要としない。さらに、一般のアナログ時計と同様のデザインとすることができ、デザインの自由度が大きい。
【００１５】
また、ロータリーエンコーダとして特別のものを必要とせず、汎用のものを使用できるので、コストの上昇を抑えることができる。
【発明を実施するための最良の形態】
【００１６】
図１および図２は、この発明による時刻設定装置の一例を示し、図１はその機構部の断面および回路構成を示す図、図２はその正面図である。また、図３は、その時刻設定装置を、アラーム装置としてラジオ受信機に適用した場合の外観の一例を示す斜視図である。なお、以下においては、アラーム時刻を10分間隔で（10分の分解能で）設定できる場合である。
【００１７】
図１および図２において、符号１１は分針軸、符号１２は筒状の時針軸を示し、これらは、分針軸１１が時針軸１２を貫通して同軸状に、かつ、回転自在に配置されている。そして、分針軸１１および時針軸の前端側（図１における左側）には、分針１３および時針１４がそれぞれ設けられている。また、分針軸１１の前端は、ガラス板あるいはプラスチック材により構成された透明板１５の透孔を貫通して、その前側まで突出されるとともに、アラーム時刻を設定するための操作つまみ１６が設けられている。
【００１８】
さらに、時針１４の後ろ側（図１における右側）には、文字盤１７が設けられるとともに、文字盤１７の中央には透孔が形成され、この透孔を分針軸１１および時針軸１２は貫通している。また、文字盤１７には、図２にも示すように、一般のアナログ時計と同様、０時（12時）から11時までを示す数字および記号１８が30°の角間隔で付されている。
【００１９】
そして、分針軸１１および時針軸１２の後部が、ギヤ機構２０を通じて回転的に結合されている。すなわち、分針軸１１の後端は時針軸１２から突出され、その後端にギヤ２１が設けられている。このギヤ２１には、ギヤ２２が噛合されているとともに、このギヤ２２には、ギヤ２３が一体化され、ギヤ２２、２３は一体に回転するようにされている。そして、ギヤ２３は、時針軸１２の後端に設けられたギヤ２４に噛合されている。
【００２０】
さらに、時針軸１２には、文字盤１７とギヤ２４との間にギヤ２５が設けられている。そして、このギヤ２５には、ギヤ２６、２７が噛合しているとともに、これらギヤ２６、２７はロータリーエンコーダ３１、３２の入力軸に設けられている。
【００２１】
なお、この場合、
ギヤ２１とギヤ２２との歯数の比＝１：３
ギヤ２３とギヤ２４との歯数の比＝１：４
ギヤ２５とギヤ２６との歯数の比＝３：１
ギヤ２５とギヤ２７との歯数の比＝４：１
とされる。例えば、
ギヤ２１の歯数＝16歯
ギヤ２２の歯数＝48歯
ギヤ２３の歯数＝８歯
ギヤ２４の歯数＝32歯
ギヤ２５の歯数＝72歯
ギヤ２６の歯数＝24歯
ギヤ２７の歯数＝18歯
とされる。
【００２２】
また、
ロータリーエンコーダ３１のポジション数＝24ポジション
ロータリーエンコーダ３２のポジション数＝18ポジション
とされる。したがって、ロータリーエンコーダ３１、３２の出力データＤA、ＤBはそれぞれ５ビットとなる。なお、汎用品に、このようなポジション数のロータリーエンコーダがあり、それらを使用することができる。
【００２３】
そして、ロータリーエンコーダ３１、３２の出力データＤA、ＤBはマイクロコンピュータ３３に供給される。このマイクロコンピュータ３３は、システム制御回路を構成しているものであり、この装置がラジオ受信機に組み込まれているときには、そのラジオ受信機を含む全体の動作を制御するためのものである。
【００２４】
このマイクロコンピュータ３３は、アラーム（あるいはタイマ）の時刻設定およびアラーム動作を実行するために、ソフトウェアによりデコーダ回路３３１および比較回路３３２を構成している。そして、データＤA、ＤBがデコーダ回路３３１に供給され、そのデコード出力が比較回路３３２に供給される。
【００２５】
また、例えば図２および図３に示すように、装置の前面パネルのうち、文字盤１７の下に午前・午後の設定スイッチ３４が設けられ、そのスイッチ出力が比較回路３３２に供給される。さらに、例えば図３に示すように、装置の上面に、アラーム動作のオン・オフを設定するアラームスイッチ３５が設けられ、そのスイッチ出力も比較回路３３２に供給される。
【００２６】
さらに、図１にも示すように、時計回路３６が設けられて現在時刻が計時され、その計時出力が例えば蛍光発光管により構成された表示デバイス３７に供給され、これに現在時刻がデジタル表示される。また、時計回路３６の計時出力が比較回路３３２に供給されてデコーダ回路３３１のデコード出力および設定スイッチ３４の出力と比較され、その比較出力が受信機本体（受信回路）４０に放送の受信の制御信号、例えば電源の制御信号として供給される。
【００２７】
このような構成によれば、操作つまみ１６をまわすと、この操作つまみ１６は分針軸１１に設けられているので、分針軸１１がまわることになるが、この分針軸１１の回転が、ギヤ２１→ギヤ２２→ギヤ２３→ギヤ２４を通じて時針軸１２に伝達される。そして、このとき、ギヤ２１〜２４の歯数の比が上記のように設定されているので、分針軸１１が１回転するとき、時針軸１２は１／12回転することになる。
【００２８】
したがって、操作つまみ１６をまわすと、分針１３および時針１４が一般のアナログ時計と同様に動くことになる。したがって、操作つまみ１６をまわすことにより、時針１４および分針１３を任意のアラーム時刻に設定することができる。なお、アラーム時刻の午前・午後はスイッチ３４により設定される。
【００２９】
そして、時針軸１２が回転するとき、その回転が、ギヤ２５およびギヤ２６、２７を通じてロータリーエンコーダ３１、３２に伝達されるとともに、ギヤ２５と、ギヤ２６、２７の歯数の比が上記のように設定されているので、時針軸１２が１回転するとき、ロータリーエンコーダ３１の入力軸は３回転し、ロータリーエンコーダ３２の入力軸は４回転する。
【００３０】
さらに、ロータリーエンコーダ３１、３２は、24ポジションおよび18ポジションとされているので、ロータリーエンコーダ３１のポジションは「０」〜「23」となり、ロータリーエンコーダ３２のポジションは「０」〜「17」となる。
【００３１】
したがって、時針軸１２が１回転する間に、すなわち、操作つまみ１６を12時間分まわす間に、ロータリーエンコーダ３１は、図４および図５の左側に示すように、「０」〜「23」のポジションを３回繰り返し、ロータリーエンコーダ３２は、図「０」〜「17」のポジションを４回繰り返すことになり、そのポジションの組み合わせは72通りとなるとともに、時針１４および分針１３の示す時刻の間隔は10分（＝12時間／72）となる。
【００３２】
なお、このとき、ロータリーエンコーダ３１、３２の12時間あたりの回転数は、互いに自然数で割り切れない関係にあるとともに、ロータリーエンコーダ３１、３２のポジション数は互いに異なるので、そのポジションの組み合わせに重複を生じることはない。したがって、操作つまみ１６をまわすと、アラーム時刻を10分間隔で設定できることになる。
【００３３】
そして、このロータリーエンコーダ３１、３２のポジションの組み合わせが、その出力データＤA、ＤBの値に対応するので、出力データＤA、ＤBは、時針１４および分針１３の示す時刻に対して図４および図５の右側に示すように変化することになる。
【００３４】
そして、この出力データＤA、ＤBがデコーダ回路３３１に供給されて時針１４および分針１３の示すアラーム時刻のデータにデコードされ、このデータと、スイッチ３４からの午前・午後を指定するデータとが、比較回路３３２において、時計回路３６の計時する現在時刻のデータと比較される。
【００３５】
そして、アラームスイッチ３５がオフにされているときには、比較回路３３２の比較処理あるいは比較結果は無効とされるが、アラームスイッチ３５がオンにされているときには、デコーダ回路３３１からのデータおよびスイッチ３４からのデータが、時計回路３６の計時する現在時刻のデータと等しくなったとき、これを示す信号が比較回路３３２から出力される。そして、この出力信号が受信機本体４０に電源の制御信号として供給されて電源がオンとされるので、放送の音声が出力されるようになる。つまり、放送による音声がアラーム音として出力されたことなる。
【００３６】
こうして、上述の装置によれば、アラーム動作が行われるが、この場合、アラーム時刻の設定は、操作つまみ１６をまわして時針１４および分針１３を目的とする時刻に合わせればよく、その操作は簡単である。また、このアラーム時刻の設定時、時針１４および分針１３は、一般のアナログ時計の時針および分針と同じ関係で同じように動くので、アラーム時刻の設定がわかりやすい。
【００３７】
さらに、設定されたアラーム時刻は、時針１４および分針１３の位置から読み取ることができるとともに、このとき、時針１４および分針１３の示すアラーム時刻は、一般のアナログ時計が示す現在時刻と同様の形態となるので、アラーム時刻がわかりやすく、一目で知ることができる。例えば、この種の機器についての知識の乏しい子供や年寄りでも、容易に、かつ、正しくアラーム時刻を設定することができるとともに、そのアラーム時刻を正しく知ることができる。
【００３８】
また、アラーム時刻を設定したり、表示したりするために、図６の場合のように大きなスペースを必要としない。さらに、一般のアナログ時計と同様のデザインとすることができ、デザインの自由度が大きい。
【００３９】
また、ロータリーエンコーダ３１、３２として特別のポジション数のものを必要とせず、汎用のものを使用できるので、コストの上昇を抑えることができる。
【００４０】
なお、上述においては、アラーム時刻になると、放送の受信を行って音声を出力するとしたが、任意の音響をアラーム音とすることができる。また、上述においては、ラジオ受信機に組み込まれたアラーム装置の場合であるが、組み込みの対象となる機器は任意であり、あるいはタイマ装置として使用することもできる。
【００４１】
また、上述においては、操作つまみ１６を分針軸１１の前端に設けたが、分針軸１１を回転させることができれば、例えば分針軸１１の後端に設けることもできる。
【図面の簡単な説明】
【００４２】
【図１】この発明の一形態を系統図とともに示す断面図である。
【図２】この発明の一形態を示す正面図である。
【図３】この発明の一形態の適用例を示す斜視図である。
【図４】この発明を説明するための表の一部を示す図である。
【図５】図４の続きを示す図である。
【図６】この発明を説明するため斜視図である。
【図７】この発明を説明するための正面図である。
【符号の説明】
【００４３】
１１…分針軸、１２…時針軸、１３…分針、１４…時針、１６…操作つまみ、１７…文字盤、２０…ギヤ機構、２１〜２７…ギヤ、３１および３２…ロータリーエンコーダ、３３…マイクロコンピュータ、３４…午前・午後設定スイッチ、３５…アラームスイッチ、３６…時計回路、３７…表示デバイス、４０…受信機本体、３３１…デコーダ回路、３３２…比較回路
【図１】
2006084245.tif 000003
【図２】
2006084245.tif 000004
【図３】
2006084245.tif 000005
【図４】
2006084245.tif 000006
【図５】
2006084245.tif 000007
【図６】
2006084245.tif 000008
【図７】
2006084245.tif 000009